(57)【要約】【課題】  ポリカーボネートのような樹脂素材からなるランプ管を用いた直管形ランプに対応する防水ランプソケットを実現す。【解決手段】  ソケット基体１０と、このソケット基体の正面に取り付けられるランプの口金周側を囲繞する筒体からなるカバー筒体１からなり、上記カバー筒体内にランプの口金周側に配される弾性素材よりなる筒状のパッキング５を収容した防水ランプソケットにおいて、カバー筒体内にランプ口金との当接部８を設けるとともに、上記カバー筒体をランプ口金との当接方向への付勢手段を伴ってソケット基体内に進退自在に収容する。【選択図】      図１
2015165455.tif 000002
【特許請求の範囲】
【請求項１】
ソケット基体と、このソケット基体の正面に取り付けられるランプの口金周側を囲繞する筒体からなるカバー筒体からなり、上記カバー筒体内にランプの口金周側に配される弾性素材よりなる筒状のパッキングを収容した防水ランプソケットにおいて、カバー筒体内にランプ口金との当接部を設けるとともに、上記カバー筒体はランプ口金との当接方向への付勢手段を伴ってソケット基体内に進退自在に収容されることを特徴とする防水ランプソケット。
【請求項２】
カバー筒体は後方をソケット基体内に摺動自在に収容される摺動コマ部に、前方をランプの口金周側を囲繞する筒体部としたものであり、摺動コマ部と筒体部は別体に構成されたものが螺合により結合され、摺動コマ部の前端にはランプ口金との当接部となる受板が配される請求項１記載の防水ランプソケット。
【発明の詳細な説明】
【技術分野】
【０００１】
本願発明は防水性を有するソケットに関し、より詳細にはランプの口金箇所を外部に対し水密としたソケットに関する。
【背景技術】
【０００２】
直管形ランプを一対のソケット本体間に挟持した状態で固定するソケットにおいて、口金箇所を外部に対し水密とするために、ランプの口金端が当接されるべきソケット基体正面にランプの口金周側を囲繞する筒体からなるカバー筒体を螺合するとともにに、このカバー筒体内にランプの口金周側に配される弾性素材よりなる筒状のパッキングを収容した防水ランプソケットが公知である（例えば特許文献１）。
【０００３】
図１０にこの種のソケットの一例を示す。図中符号５０はソケット基体であり、正面にランプ口金（図示せず）との当接部となる受板５１が配される。図中符号５２はランプの口金周側を囲繞する筒体からなるカバー筒体であり、ソケット基体正面に突設されたネジ筒外周の雄ネジ一端内周の雌ネジが螺合されることにより、ソケット基体に対し固定される。図中符号５３はランプの口金周側に配される弾性素材よりなる筒状のパッキングであり、上記のカバー筒体５２内に収容される。
【先行技術文献】
【特許文献】
【０００４】
【特許文献１】特開２０００−３１５５５７号公報
【特許文献２】特開２０１２−１８２０３３号公報
【発明の概要】
【発明が解決しようとする課題】
【０００５】
従来の防水ランプソケットはガラスチューブを用いた蛍光灯を想定して開発されてきた。ところで、蛍光灯に代わり光源としてＬＥＤを用いた直管形ランプが普及しつつある。ＬＥＤを用いた直管形ランプにおいては、ガラス管に代え例えばポリカーボネートのような樹脂素材からなるランプ管を用いることがある。この場合、樹脂素材の特性から使用時の温度環境の変化に伴いランプ管が全長方向に伸縮することがある。
【０００６】
前記の現象は例えば特許文献２に記載されているように、ソケット受け部をソケット体内でソケットの前後方向に進退可能とすることにより解消される。しかしながら、前記した防水ランプソケットはランプの口金周側に弾性素材よりなる筒状のパッキングを配することにより、パッキング内周がランプの口金周側に当接して水密を図っている。この場合、ランプの進退に伴い口金がパッキング内周の当接部に対し摺動すればよいが、往々にして両者が張りついていることが多く、この場合はパッキング内周端が口金につられて動いて変形してしまいそこから水漏れが生じる恐れがあった。
【課題を解決するための手段】
【０００７】
本願発明は、以上の問題点を解決した防水ランプソケットを提供することを目的として創作されたものであり、ソケット基体と、このソケット基体の正面に取り付けられるランプの口金周側を囲繞する筒体からなるカバー筒体からなり、上記カバー筒体内にランプの口金周側に配される弾性素材よりなる筒状のパッキングを収容した防水ランプソケットにおいて、カバー筒体内にランプ口金との当接部を設けるとともに、上記カバー筒体はランプ口金との当接方向への付勢手段を伴ってソケット基体内に進退自在に収容されることを特徴とする。
【０００８】
また、請求項２記載の防水ランプソケットは、前記防水ランプソケットにおいてカバー筒体は後方をソケット基体内に摺動自在に収容される摺動コマ部に、前方をランプの口金周側を囲繞する筒体部としたものであり、摺動コマ部と筒体部は別体に構成されたものが螺合により結合され、摺動コマ部の前端にはランプ口金との当接部となる受板が配されることを特徴とする。
【発明の効果】
【０００９】
以上の構成よりなる本願発明の防水ランプソケットによれば、ランプ口金との当接部はランプ口金との当接方向への付勢手段を伴ってソケット基体内に進退自在に収容されるカバー筒体内に設けられるので、仮にランプの口金が進退したとしてもパッキングはランプ口金との当接部と一体となって進退するのでパッキング内周端が変形することなく水密性に影響が生じることがない。
【図面の簡単な説明】
【００１０】
【図１】本願発明の防水ランプソケットの分解斜視図。
【図２】同上、断面図。
【図３】同上、カバー筒体を下面方向から観察した状態の斜視図。
【図４】同上、ソケット基体を下面方向から観察した状態の斜視図。
【図５】同上、カバー筒体を上面方向から観察した状態の斜視図。
【図６】同上、ソケット基体を上面方向から観察した状態の斜視図。
【図７】同上、斜視図。
【図８】同上、正面図。
【図９】本願発明のランプソケットが使用されるとランプの一例を示す斜視図。
【図１０】従来技術の防水ランプソケットの断面図。
【発明を実施するための形態】
【００１１】
以下、本願発明の具体的実施例を添付図面に基づいて説明する。図１〜図８は本願発明が実施されるランプソケットの実施例を示す図、図９はランプＬの一例を示す図である。この実施例ではこのランプソケットは、一方の口金Ｌ１の中心に平面楕円形の鍔状の張り出し部を設けた形状からなるアース側のピンＰ１を突設すると共に、他方の口金Ｌ２の直径線上に一対の外向きＬ字状の給電側のピンＰ２、Ｐ２を突設した日本電球工業会規格ＧＸ１６ｔ−５による直管形ＬＥＤランプＬのアース側のソケットとして使用される。
【００１２】
本願発明のランプソケットは、上方を照明器具との取り付け座１２とした筐体状のソケット基体１０と、このソケット基体正面に取り付けられるランプの口金周側を囲繞する筒体からなるカバー筒体１からなり、上記カバー筒体はランプ口金との当接方向への付勢手段を伴ってソケット基体内に進退自在に収容される。
【００１３】
カバー筒体１は後方をソケット基体１０内に摺動自在に収容される摺動コマ部２に、前方をランプの口金周側を囲繞する筒体部３としたものであり、摺動コマ部と筒体部は別体に構成されたものが螺合により結合される。摺動コマ部２の前端にはランプ口金との当接部となる受板８が配され、筒体部３を結合した際にこの受板が筒体部内部の底箇所に位置することになる（図２参照）。
【００１４】
前記の摺動コマ部２は、前面が開放されたソケット基体１０の内側形状に準じた外側形状とすることによりソケット基体に対し摺動自在に内装されるが、この実施例においてはソケット基体の内壁にその全長方向に沿って突設された複数本の突条１３に外壁が摺接するように構成される。すなわち、この実施例では摺動コマ部２はソケット基体１０の取り付け座１２の裏面およびそこから延設される直線状の壁面裏面に面接触する上部摺接外壁部２Ａ、ソケット基体の内壁の中途および下方に突設される複数本の突条１３に線接触する中央部摺接外壁部２Ｂ、ソケット基体の内壁の底面に面接触する下部摺接外壁部２Ｃを有し、これらがソケット基体の内壁との摺接面となる。この場合、下部摺接外壁部２Ｃは他の摺接外壁部２Ａ、２Ｂとは独立した舌片状に構成され、そこに後記するガイド長孔７が穿設される。
【００１５】
一方、ソケット基体１０の取り付け座１２にはその全長方向に沿って左右一対のガイド長孔１５が穿設され、摺動コマ部２の上方に突設された左右一対のガイド突起６がこのガイド長孔内に摺嵌される（図１、図１３）。また、摺動コマ部２の下方には全長方向に沿ってガイド長孔７が穿設され、ソケット基体１０の下方に突設されたガイド突起１６がこのガイド長孔内に摺嵌される（図２、図４）。以上のガイド長孔１５とガイド突起６、ガイド長孔７とガイド突起１６によりカバー筒体１はソケット基体１０の前後方向にのみ進退するよう規制されるとともに、進出限度が規制されて抜け止めとしている。
【００１６】
なお、前記のソケット基体１０の下方に突設されたガイド突起１６は図２、図１６に示すように摺動コマ部側がテーパー面となっている。その結果、カバー筒体１とソケット基体の組み立てにあたって、カバー筒体をソケット基体側に押し入れることにより摺動コマ部２端が前記テーパー面を利用して上方に変形しながらガイド突起１６を乗り越えてガイド長孔７へ嵌まり込むことが可能となる。前記したように、ガイド長孔７は摺動コマ部２の他の摺接外壁部２Ａ、２Ｂとは独立した舌片状に構成された下部摺接外壁部２Ｃに穿設されているので前記の変形が可能となり、ガイド突起１６を乗り越えることができる。
【００１７】
図中符号５はランプ装着時にその端部周側に配される弾性素材よりなる筒状のパッキングであり、上記のカバー筒体１の筒体部３内に収容される。このパッキング５は筒体部３の摺動コマ部２への螺着時に筒体部３の開口内周に設けた内鍔状の係合段部３Ａと摺動コマ部２正面間に挟持されるが、摺動コマ部への装着に際しての筒体部の螺合回転時にパッキングに対し筒体部がフリー回転するようにパッキング端部と係合段部３Ａとの間にスリップリング４が介在される。
【００１８】
図中符号Ｓはカバー筒体１をランプ口金との当接方向へ付勢するためのコイルバネであり、カバー筒体の摺動コマ部２とソケット基体１０間に圧縮状態で介在される。図中符号９はコイルバネＳの平面方向へのずれを規制するために摺動コマ部２裏面に突設される円弧状の突起、同じく１４はソケット基体１０表面に突設される円弧状の突起である。
【符号の説明】
【００１９】
１                  カバー筒体
５                  パッキング
８                  受板
１０                ソケット基体
【図１】
2015165455.tif 000003
【図２】
2015165455.tif 000004
【図３】
2015165455.tif 000005
【図４】
2015165455.tif 000006
【図５】
2015165455.tif 000007
【図６】
2015165455.tif 000008
【図７】
2015165455.tif 000009
【図８】
2015165455.tif 000010
【図９】
2015165455.tif 000011
【図１０】
2015165455.tif 000012